(57)【要約】  本発明は、乗客に対して広告コンテンツを表示する列車内情報表示装置であって、広告コンテンツを表示する表示部（５３）と、表示部（５３）に表示され実際に乗客から見えている映像画面を撮影する表示監視部（５５）と、表示監視部（５５）により撮影された画像に基づいて映像画面の色に関する情報である色関連情報を算出し、算出した色関連情報と、前記広告コンテンツが前記表示部で正常に表示された場合の色に関する情報である表示結果判定用基準情報とに基づいて広告コンテンツの表示が正常に行われたかどうかを判定する表示結果判定部（５４）と、を備えている。
2012127565.tif 000002
【特許請求の範囲】
【請求項１】
乗客に対して広告コンテンツを表示する列車内情報表示装置であって、
前記広告コンテンツを表示する表示部と、
前記表示部に表示され実際に乗客から見えている映像画面を撮影するカメラと、
前記カメラにより撮影された画像に基づいて前記映像画面の色に関する情報である色関連情報を算出し、当該算出した色関連情報と、前記広告コンテンツが前記表示部で正常に表示された場合の色に関する情報である表示結果判定用基準情報とに基づいて前記広告コンテンツの表示が正常に行われたかどうかを判定する表示結果判定部と、
を備えることを特徴とする列車内情報表示装置。
【請求項２】
前記広告コンテンツの正常表示画面を撮影した画像に基づいて算出された、前記広告コンテンツの特定映像画面の色関連情報である表示結果判定用基準情報を記憶しておき、
前記表示結果判定部は、前記カメラにより撮影された前記特定映像画面の画像に基づいて前記特定映像画面の色関連情報を算出し、当該算出した色関連情報と前記表示結果判定用基準情報を比較して前記判定を行うことを特徴とする請求項１に記載の列車内情報表示装置。
【請求項３】
前記広告コンテンツの正常表示画面を撮影した画像に基づいて算出された、前記広告コンテンツの特定映像画面を複数領域に分割した場合の各領域における色関連情報同士の大小関係を表示結果判定用基準情報として記憶しておき、
前記表示結果判定部は、前記カメラにより撮影された前記特定映像画面の画像に基づいて、前記表示結果判定用基準情報が算出された場合と同じ条件で前記特定映像画面を複数領域に分割した場合の各領域における色関連情報をそれぞれ算出し、当該算出した色関連情報同士の大小関係と前記表示結果判定用基準情報を比較して前記判定を行うことを特徴とする請求項１に記載の列車内情報表示装置。
【請求項４】
前記表示結果判定部は、前記広告コンテンツのデータに基づいて、前記カメラにより撮影が行われた時点で前記表示部に表示されていた画面の色関連情報を算出して表示結果判定用基準情報とし、さらに、前記カメラにより撮影された画像に基づいて、前記映像画面の色関連情報を算出し、当該表示結果判定用基準情報と当該色関連情報を比較して前記判定を行うことを特徴とする請求項１に記載の列車内情報表示装置。
【請求項５】
前記表示結果判定部は、前記広告コンテンツのデータに基づいて、前記広告コンテンツの特定映像画面を複数領域に分割した場合の各領域における色関連情報を算出し、当該算出した色関連情報同士の大小関係を表示結果判定用基準情報とし、さらに、前記カメラにより撮影された画像に基づいて、前記表示結果判定用基準情報を算出した場合と同じ条件で前記映像画面を複数領域に分割した場合の各領域における色関連情報をそれぞれ算出し、当該算出した色関連情報同士の大小関係と前記表示結果判定用基準情報を比較して前記判定を行うことを特徴とする請求項１に記載の列車内情報表示装置。
【請求項６】
前記色関連情報として、色合い、色相および明るさの中の１つ以上の情報を使用することを特徴とする請求項１に記載の列車内情報表示装置。
【請求項７】
前記表示結果判定部は、前記表示部の累積使用時間に基づいて決定した周期で前記判定を行うことを特徴とする請求項１に記載の列車内情報表示装置。
【請求項８】
前記表示結果判定部は、前記表示部の累積使用時間が大きいほど、短周期で前記判定を行うことを特徴とする請求項７に記載の列車内情報表示装置。
【請求項９】
乗客が認識不可能な程度の短時間の間、表示結果の判定動作で利用する表示状態確認用映像を前記広告コンテンツの再生途中に挿入し、
前記表示結果判定部は、前記カメラによる前記表示状態確認用映像の撮影結果を使用して前記判定を行うことを特徴とする請求項１に記載の列車内情報表示装置。
【請求項１０】
車両側面の各扉付近に設置され、
前記カメラは、自身が設置されている側の対面側に設置されている他の列車内情報表示装置の表示部に表示されている映像画面を撮影し、
前記表示結果判定部は、前記他の列車内情報表示装置における広告コンテンツの表示結果を判定することを特徴とする請求項１に記載の列車内情報表示装置。
【請求項１１】
前記カメラは、自身が設置されている側の対面側に設置されている複数の他の列車内情報表示装置の表示部にそれぞれ表示されている映像画面を撮影し、
前記表示結果判定部は、前記複数の他の列車内情報表示装置における広告コンテンツの表示結果をそれぞれ判定することを特徴とする請求項１に記載の列車内情報表示装置。
【請求項１２】
前記カメラは、車両内の所定位置に設置された鏡を利用して前記表示部に表示されている映像画面を撮影することを特徴とする請求項１に記載の列車内情報表示装置。
【請求項１３】
乗客に対して広告コンテンツを表示する複数の表示装置と、上記広告コンテンツの表示で使用する広告コンテンツデータを記憶しておくとともに、記憶している広告コンテンツデータの一部または全部を予め決定されているスケジュールに従って前記複数の表示装置に配信する広告コンテンツ配信装置と、を備えた列車内情報表示システムであって、
前記表示装置は、
前記広告コンテンツを表示する表示部と、
前記表示部に表示され実際に乗客から見えている映像画面を撮影するカメラと、
前記カメラにより撮影された画像に基づいて前記映像画面の色に関する情報である色関連情報を算出し、当該算出した色関連情報と、前記広告コンテンツが前記表示部で正常に表示された場合の色に関する情報である表示結果判定用基準情報とに基づいて前記広告コンテンツの表示が正常に行われたかどうかを判定する表示結果判定部と、
を備え、
前記広告コンテンツ配信装置は、
各表示装置の表示結果判定部における判定結果を収集して自列車における広告コンテンツの表示実績を集計する表示実績集計部、
を備えることを特徴とする列車内情報表示システム。
【請求項１４】
前記広告コンテンツの正常表示画面を撮影した画像に基づいて算出された、前記広告コンテンツの特定映像画面の色関連情報である表示結果判定用基準情報を前記表示装置または前記広告コンテンツ配信装置で記憶しておき、
前記表示結果判定部は、前記カメラにより撮影された前記特定映像画面の画像に基づいて前記特定映像画面の色関連情報を算出し、当該算出した色関連情報と前記表示結果判定用基準情報を比較して前記判定を行うことを特徴とする請求項１３に記載の列車内情報表示システム。
【請求項１５】
前記広告コンテンツの正常表示画面を撮影した画像に基づいて算出された、前記広告コンテンツの特定映像画面を複数領域に分割した場合の各領域における色関連情報同士の大小関係を表示結果判定用基準情報として前記表示装置または前記広告コンテンツ配信装置で記憶しておき、
前記表示結果判定部は、前記カメラにより撮影された前記特定映像画面の画像に基づいて、前記表示結果判定用基準情報が算出された場合と同じ条件で前記特定映像画面を複数領域に分割した場合の各領域における色関連情報をそれぞれ算出し、当該算出した色関連情報同士の大小関係と前記表示結果判定用基準情報を比較して前記判定を行うことを特徴とする請求項１３に記載の列車内情報表示システム。
【請求項１６】
前記表示結果判定部は、前記広告コンテンツのデータに基づいて、前記カメラにより撮影が行われた時点で前記表示部に表示されていた画面の色関連情報を算出して表示結果判定用基準情報とし、さらに、前記カメラにより撮影された画像に基づいて、前記映像画面の色関連情報を算出し、当該表示結果判定用基準情報と当該色関連情報を比較して前記判定を行うことを特徴とする請求項１３に記載の列車内情報表示システム。
【請求項１７】
前記表示結果判定部は、前記広告コンテンツのデータに基づいて、前記広告コンテンツの特定映像画面を複数領域に分割した場合の各領域における色関連情報を算出し、当該算出した色関連情報同士の大小関係を表示結果判定用基準情報とし、さらに、前記カメラにより撮影された画像に基づいて、前記表示結果判定用基準情報を算出した場合と同じ条件で前記映像画面を複数領域に分割した場合の各領域における色関連情報をそれぞれ算出し、当該算出した色関連情報同士の大小関係と前記表示結果判定用基準情報を比較して前記判定を行うことを特徴とする請求項１３に記載の列車内情報表示システム。
【請求項１８】
乗客が認識不可能な程度の短時間の間、表示結果の判定動作で利用する表示状態確認用映像を前記広告コンテンツの再生途中に挿入し、
前記表示結果判定部は、前記カメラによる前記表示状態確認用映像の撮影結果を使用して前記判定を行うことを特徴とする請求項１３に記載の列車内情報表示システム。
【請求項１９】
前記表示結果判定部は、前記広告コンテンツ配信装置から配信されてきた広告コンテンツデータと広告コンテンツ配信装置で記憶されている広告コンテンツデータに基づいて、広告コンテンツの配信が正常に行われたかどうかを判断し、正常に行われた場合に前記広告コンテンツの表示結果判定処理を実行することを特徴とする請求項１３に記載の列車内情報表示システム。
【請求項２０】
前記表示装置は、
前記表示部の故障検出を行う故障検知部、
をさらに備え、
前記表示結果判定部は、前記故障検知部により前記表示部の故障が検出されていない状態において、前記広告コンテンツの表示結果判定処理を実行することを特徴とする請求項１３に記載の列車内情報表示システム。
【請求項２１】
前記カメラは、車両内の所定位置に設置された鏡を利用して前記表示部に表示されている映像画面を撮影することを特徴とする請求項１２に記載の列車内情報表示装置。
【請求項２２】
乗客に対して広告コンテンツを表示する列車内情報表示装置において、広告コンテンツの表示結果を判定するための広告表示結果判定方法であって、
前記表示部に表示され実際に乗客から見えている広告コンテンツの映像画面をカメラで撮影する撮影ステップと、
前記撮影した画像に基づいて前記映像画面の色に関する情報である色関連情報を算出する色関連情報算出ステップと、
前記算出した色関連情報と、前記広告コンテンツが前記表示部で正常に表示された場合の色に関する情報である表示結果判定用基準情報とに基づいて前記広告コンテンツの表示が正常に行われたかどうかを判定する表示結果判定ステップと、
を含むことを特徴とする広告表示結果判定方法。
【請求項２３】
前記広告コンテンツの正常表示画面を撮影した画像に基づいて算出された、前記広告コンテンツの特定映像画面の色関連情報である表示結果判定用基準情報を外部から取得する表示結果判定用基準情報取得ステップ、
をさらに含み、
前記表示結果判定ステップでは、前記色関連情報と前記表示結果判定用基準情報を比較して前記判定を行うことを特徴とする請求項２２に記載の広告表示結果判定方法。
【請求項２４】
前記広告コンテンツの正常表示画面を撮影した画像に基づいて算出された、前記広告コンテンツの特定映像画面を複数領域に分割した場合の各領域における色関連情報同士の大小関係を表示結果判定用基準情報として外部から取得する表示結果判定用基準情報取得ステップ、
をさらに含み、
前記色関連情報算出ステップでは、前記特定映像画面の画像に基づいて、前記表示結果判定用基準情報が算出された場合と同じ条件で前記特定映像画面を複数領域に分割した場合の各領域における色関連情報をそれぞれ算出し、
前記表示結果判定ステップでは、前記算出した色関連情報同士の大小関係と前記表示結果判定用基準情報を比較して前記判定を行うことを特徴とする請求項２２に記載の広告表示結果判定方法。
【請求項２５】
前記広告コンテンツのデータに基づいて、前記カメラにより撮影が行われた時点で前記表示部に表示されていた画面の色関連情報を算出して表示結果判定用基準情報とする表示結果判定用基準情報算出ステップ、
をさらに含み、
前記表示結果判定ステップでは、前記色関連情報と前記表示結果判定用基準情報を比較して前記判定を行うことを特徴とする請求項２２に記載の広告表示結果判定方法。
【請求項２６】
前記広告コンテンツのデータに基づいて、前記広告コンテンツの特定映像画面を複数領域に分割した場合の各領域における色関連情報を算出し、当該算出した色関連情報同士の大小関係を表示結果判定用基準情報とする表示結果判定用基準情報算出ステップ、
をさらに含み、
前記色関連情報算出ステップでは、前記特定映像画面の画像に基づいて、前記表示結果判定用基準情報を算出した場合と同じ条件で前記特定映像画面を複数領域に分割した場合の各領域における色関連情報をそれぞれ算出し、
前記表示結果判定ステップでは、前記算出した色関連情報同士の大小関係と前記表示結果判定用基準情報を比較して前記判定を行うことを特徴とする請求項２２に記載の広告表示結果判定方法。
【請求項２７】
乗客が認識不可能な程度の短時間の間、表示結果の判定動作で利用する表示状態確認用映像を前記広告コンテンツの再生途中に挿入し、
前記色関連情報算出ステップでは、前記カメラによる前記表示状態確認用映像の撮影結果に基づいて前記色関連情報を算出することを特徴とする請求項２２に記載の広告表示結果判定方法。
【発明の詳細な説明】
【技術分野】
【０００１】
本発明は、乗客に対して広告情報を提供する列車内情報表示装置、列車内情報表示システムおよび広告表示結果判定方法に関するものである。
【背景技術】
【０００２】
近年の鉄道システムにおいては、列車の各室内に設置された表示装置を用い、乗客に対して動画等を含んだ広告情報（以下、広告コンテンツと記載する）を提供するサービスが一般的となってきている。【０００３】
広告コンテンツを再生する場合、鉄道事業者は、例えば、広告主との間の契約内容に従って再生を行う。契約内容には、例えば、乗客に対して広告コンテンツを提供する期間や時間帯、広告コンテンツの延べ再生時間や再生回数などが含まれる。【０００４】
企業等が広告主となる目的、すなわち、自社製品の販売促進など利益向上の実現を目的として広告主となっていることを考慮すると、列車乗客への広告コンテンツ提供の費用対効果を正確に知るためにも、広告コンテンツが再生された日時や再生回数などの実績情報が鉄道事業者から広告主へ提供されるのが望ましい。広告主は、広告コンテンツを提供しているにもかかわらず思うような効果が得られていない場合や効果が薄れてきた場合には、広告コンテンツの内容変更を行う、契約内容を見直してコンテンツを再生させる時間帯や再生回数、支払う対価などを変更する、などの対策が必要と考えるためである。【０００５】
ここで、特許文献１には、効果的なコマーシャル（広告コンテンツ）放映を実現するための技術が記載されている。特許文献１に記載の技術によれば、放映されたＣＭの放映実績データに応じて放映料金を広告主に請求するので、広告主は、実際にコマーシャルが放映された対価分だけを支払うことが可能となり、無駄な出費を抑えることができる。
【先行技術文献】
【特許文献】
【０００６】
【特許文献１】特開２００３−１３４４８９号公報
【発明の概要】
【発明が解決しようとする課題】
【０００７】
しかしながら、上記従来の技術においては、映像の特定の場所に、放映中のコマーシャルの識別情報（ＣＭＩＤ）を表示させ、このＣＭＩＤ検出してコマーシャルの放映回数を算出するものであり、コマーシャルが正常に放映されたかどうかを考慮した放映回数算出は行われていない。すなわち、ＣＭＩＤが検出されれば該当するコマーシャルが正しく放映されたと判断してしまうので、ＣＭＩＤが存在する場所の周辺さえ正しく表示されていれば、映像内の他の領域において色むらなどの表示不良が発生していたとしても正常に放映されたものとして扱われてしまうという問題があった。【０００８】
本発明は、上記に鑑みてなされたものであって、広告コンテンツの表示結果を高精度に判定して信頼度の高い表示実績データを収集する列車内情報表示装置、列車内情報表示システムおよび表示結果判定方法を得ることを目的とする。
【課題を解決するための手段】
【０００９】
上述した課題を解決し、目的を達成するために、本発明は、乗客に対して広告コンテンツを表示する列車内情報表示装置であって、前記広告コンテンツを表示する表示部と、前記表示部に表示され実際に乗客から見えている映像画面を撮影するカメラと、前記カメラにより撮影された画像に基づいて前記映像画面の色に関する情報である色関連情報を算出し、当該算出した色関連情報と、前記広告コンテンツが前記表示部で正常に表示された場合の色に関する情報である表示結果判定用基準情報とに基づいて前記広告コンテンツの表示が正常に行われたかどうかを判定する表示結果判定部と、を備えることを特徴とする。
【発明の効果】
【００１０】
この発明によれば、乗客に対して実際に表示している広告コンテンツ画面の撮影画像に基づいて算出する情報を利用して広告コンテンツの表示が正常に行われたどうかを判定するので、信頼性の高い表示実績データを得ることができる、という効果を奏する。
【図面の簡単な説明】
【００１１】
【図１】図１は、本発明にかかる列車内情報表示システムの実施の形態１の構成例を示す図である。
【図２】図２は、広告コンテンツ配信装置の構成例である。
【図３】図３は、表示装置の構成例を示す図である。
【図４】図４は、表示結果判定部による判定動作の一例を示すフローチャートである。
【図５】図５は、表示画面の分割方法の一例を示す図である。
【図６】図６は、実施の形態２の表示装置の構成例を示す図である。
【図７】図７は、実施の形態３の表示装置の構成例を示す図である。
【発明を実施するための形態】
【００１２】
以下に、本発明にかかる列車内情報表示装置、列車内情報表示システムおよび表示結果判定方法の実施の形態を図面に基づいて詳細に説明する。なお、この実施の形態によりこの発明が限定されるものではない。
【００１３】
実施の形態１．
図１は、本発明にかかる列車内情報表示システムの実施の形態１の構成例を示す図である。本実施の形態では、複数の車両が連結された編成の列車を想定して説明を行うが、本発明は、１両編成の場合にも適用可能である。なお、図１では、２つの車両（１号車，２号車とする）について示している。３号車以降については２号車と同一構成であるものとする。
【００１４】
図１に示したように、本実施の形態の列車内情報表示システムは、地上側に設置された装置として、鉄道システム内の各列車に広告コンテンツデータ（詳細については後述する）を配信する広告コンテンツ伝送装置１０を備え、また、列車に設置された装置として、情報送受信装置２０、広告コンテンツ配信装置３０、中継装置４０および表示装置５０を備えている。なお、広告コンテンツ伝送装置１０のアンテナは、例えば駅や車両基地に設置されている。また、列車に搭載されている装置のうち、情報送受信装置２０および情報コンテンツ配信装置３０は、１つの列車（１編成）に１台あればよい（もちろん、故障時に備えて２重系としてもよい）。中継装置４０および表示装置５０は各車両に設置されている。表示装置５０については、１車両あたり複数台設置されている。表示装置５０は、例えば、各扉の上部鴨居部にそれぞれ設置されている。
【００１５】
本実施の形態の列車内情報表示システムにおいて、広告コンテンツ伝送装置１０は、広告主などから提供された広告コンテンツファイル（表示装置５０に表示させて乗客に提供する広告コンテンツの実データ）と、広告主との契約条件などに基づいて作成された広告コンテンツ表示スケジュール情報（以下、コンテンツ表示制御情報と呼ぶ）とを含んだ広告コンテンツデータを記憶しており、必要に応じて、記憶している広告コンテンツデータを鉄道システムの各列車の各表示装置５０に配信する。また、広告コンテンツの表示実績データを各列車の表示装置５０から取得して管理する。
【００１６】
広告コンテンツデータを各列車に配信する動作の一例を簡単に示すと、広告コンテンツ伝送装置１０は、駅や車両基地に停車中の列車に対して、記憶している広告コンテンツデータのリスト（例えば、広告コンテンツの識別情報とデータの更新日時をリスト化したもの）を配信する。一方、列車側では、受信したリストを確認し、未だ配信を受けていない広告コンテンツデータが存在していれば、それを配信するように広告コンテンツ伝送装置１０に要求する。そして、広告コンテンツ伝送装置１０は、要求された広告コンテンツデータを列車に配信する。また、広告コンテンツ伝送装置１０が鉄道システム内のどの列車にどの広告コンテンツデータを配信済みであるかどうかを記憶しておき、駅や車両基地に列車が停車した際に、この列車に対して未配信の広告コンテンツデータが存在していれば、未配信であった広告コンテンツデータを配信するようにしてもよい。また、停車中の列車から広告コンテンツ伝送装置１０に対して、保持している広告コンテンツデータリストを送信し、このリストを広告コンテンツ伝送装置１０が確認して必要な広告コンテンツデータ（未配信の広告コンテンツデータ）を配信するようにしてもよい。
【００１７】
ここで、コンテンツ表示制御情報は、１つの広告コンテンツファイルごとに作成してもよいし、複数の広告コンテンツファイルごとに作成してもよい。つまり、前者の場合は、１つの広告コンテンツファイルに対し、これに対応付けられたコンテンツ表示制御情報が存在し（広告コンテンツファイルとコンテンツ表示制御情報が１対１で対応付けられ）、コンテンツ表示制御情報には、例えば、対応する広告コンテンツファイルの表示（再生）開始時刻情報が含まれる。この場合、表示装置５０では、コンテンツ表示制御情報が示す表示開始時刻になると、対応する広告コンテンツを再生する。後者の場合（コンテンツ表示制御情報を複数の広告コンテンツファイルごとに作成する場合）、コンテンツ表示制御情報には、例えば、対応付けられている各広告コンテンツファイルの表示順番情報と表示開始時刻情報が含まれる。この場合、表示装置５０では、コンテンツ表示制御情報が示す表示開始時刻になると、対応付けられている各広告コンテンツを、表示順番情報が示す順番で再生する。上記いずれの場合も、コンテンツ表示制御情報は複数の表示開始時刻を示す場合がありうる。なお、コンテンツ表示制御情報の構成は上記に限定されない、対応付けられている広告コンテンツの再生開始タイミングが列車側で把握できるのであればどのような構成であってもよい。具体例を示すと、表示開始時刻に代えて表示開始位置（どの路線のどの位置を列車が走行しているときに表示を開始するかを示す情報など）を含むようにしてもよい。
【００１８】
各列車に搭載されている情報送受信装置２０は、広告コンテンツ伝送装置１０と通信することにより、広告コンテンツデータの受信、広告コンテンツの表示実績情報の送信などを行う。
【００１９】
広告コンテンツ配信装置３０は、情報送受信装置２０を介して広告コンテンツ伝送装置１０から受け取った広告コンテンツデータを記憶しておき、記憶している広告コンテンツデータを所定のタイミングで各表示装置５０へ配信する。また、各表示装置５０における広告コンテンツの表示実績を集計して地上側（広告コンテンツ伝送装置１０）へ送信する。
【００２０】
中継装置４０は、広告コンテンツ配信装置３０から送信された広告コンテンツデータを受信すると、自車両（中継装置４０が設置されている車両）に設置されている各表示装置５０へ中継するとともに、隣接する車両に設置されている他の中継装置４０に対しても広告コンテンツデータを中継する。また、各表示装置５０から広告コンテンツ表示実績が送信されてきた場合、これを広告コンテンツ配信装置３０に中継する。
【００２１】
列車内情報表示装置である表示装置５０は、中継装置４０経由で広告コンテンツ配信装置３０から受け取った広告コンテンツデータを保持しておき、広告コンテンツデータに含まれるコンテンツ表示制御情報に従ったタイミングで広告コンテンツファイルを再生して広告コンテンツを乗客に提供する。
【００２２】
図２は、広告コンテンツ配信装置３０の構成例を示す図である。本実施の形態の広告コンテンツ配信装置３０は、記憶部３１、広告コンテンツ配信部３２および表示実績集計部３３を備える。
【００２３】
記憶部３１は、広告コンテンツ伝送装置１０から送信され、情報送受信装置２０で受信された広告コンテンツデータを記憶する。この記憶部３１は、システムの信頼性を向上させることを目的として冗長構成（２重系）としてもよい。
【００２４】
広告コンテンツ配信部３２は、記憶部３１で記憶されている広告コンテンツデータを所定のタイミングで各車両の表示装置５０へ配信する。例えば、広告コンテンツデータ内のコンテンツ表示制御情報を確認し、このコンテンツ表示制御情報が広告コンテンツの再生開始時刻の情報を含んでいるのであれば、再生開始時刻よりも一定時間前のタイミングで、広告コンテンツデータを配信する。すなわち、再生開始時刻となる前に各表示装置５０へ広告コンテンツデータが配信されるようにする。
【００２５】
なお、広告コンテンツ配信部３２は、広告コンテンツデータ内のコンテンツ表示制御情報を必要に応じて加工してから配信するようにしてもよい。例えば、コンテンツ表示制御情報が複数の広告コンテンツファイルごとに作成されている場合には、１つの広告コンテンツファイルに対して１つのコンテンツ表示制御情報が存在するように（すなわち、広告コンテンツファイルとコンテンツ表示制御情報が１対１の関係となるように）、元のコンテンツ表示制御情報から複数の新コンテンツ表示制御情報を生成し、生成した新コンテンツ表示制御情報を元のコンテンツ表示制御情報に代えて配信するようにしてもよい。
【００２６】
表示実績集計部３３は、広告コンテンツの表示結果（再生が正常に行われたか否かの判定結果）を各表示装置５０から収集し、自列車での表示実績を算出する。表示実績は、例えば、表示時刻、表示コンテンツファイル名、表示回数などの情報を含んだログファイルを利用して算出可能であり、広告コンテンツ毎の再生実行回数と再生成功回数（または失敗回数）を列車の運用終了時に算出する。また、再生成功回数を再生実行回数で除算した結果（再生回数に基づく再生成功率）や再生成功時間を再生実行時間で除算した結果（再生時間に基づく再生成功率）を表示実績としてもよい。なお、車両ごとかつ表示コンテンツごとの表示実績を算出する、表示装置ごとかつ表示コンテンツごとの表示実績を算出する、などとしてもよい。また、算出タイミングは運用終了時以外であってもよい。表示実績の算出が終了すると、表示実績集計部３３は、算出結果を地上側（広告コンテンツ伝送装置１０）へ通知する。
【００２７】
図３は、表示装置５０の構成例を示す図である。本実施の形態の表示装置５０は、広告コンテンツ記憶部５１、表示制御部５２、表示部５３、表示結果判定部５４および表示監視部５５を備える。
【００２８】
広告コンテンツ記憶部５１は、中継装置４０を介して広告コンテンツ配信装置３０から配信されてきた広告コンテンツデータを記憶する。なお、本実施の形態においては、広告コンテンツ記憶部５１の記憶容量は広告コンテンツ配信装置３０の記憶部３１よりも非常に小さい場合を想定し、表示装置５０で表示させる広告コンテンツの広告コンテンツデータは、表示開始時刻となる少し前に広告コンテンツ配信装置３０から配信されるものとする。また、広告コンテンツ記憶部５１で記憶している広告コンテンツデータは、表示が終了すると削除されるものとする。もちろん、広告コンテンツ記憶部５１の記憶容量が広告コンテンツ配信装置３０の記憶部３１と同等以上とし、表示終了後に削除することなく残すようにしてもよい。
【００２９】
表示制御部５２は、広告コンテンツ記憶部５１で記憶されている広告コンテンツデータに含まれているコンテンツ表示制御情報により特定される再生開始タイミング（再生開始時刻）に従い、再生を行う広告コンテンツファイルを読み出し、さらに、表示部５３に表示させる広告コンテンツの画面を生成する。
【００３０】
表示部５３は、表示制御部５２で生成された広告コンテンツ画面を表示する。
【００３１】
表示結果判定部５４は、表示制御部５２で生成された広告コンテンツ画面、および後述する表示監視部５５で撮影された画像に基づいて、表示部５３における広告コンテンツの表示が正常に行われたか否かを判定する。また、判定結果（広告コンテンツの表示結果）を広告コンテンツ配信装置３０の表示実績集計部３３へ通知する。
【００３２】
表示監視部５５は、カメラ（撮像装置）であり、表示部５３に表示されて実際に乗客から見えている画面（広告コンテンツの映像画面）を撮影し、撮影した画像を表示結果判定部５４へ出力する。撮影タイミングは、例えば、表示結果判定部５４から指示されたタイミングとする。
【００３３】
つづいて、表示結果判定部５４による判定動作について詳細に説明する。図４は、表示結果判定部５４による判定動作の一例を示すフローチャートである。
【００３４】
表示結果判定部５４は、まず、表示部５３の表示画面を撮影した画像を表示監視部５５から取得する（ステップＳ１）。
【００３５】
このステップＳ１において、表示結果判定部５４は、表示監視部５５に対して表示部５３の表示画面を撮影するように指示を行い、その結果撮影された画像を表示監視部５５から取得する。ここでは、表示結果判定部５４が撮影タイミングを決定し、決定したタイミングで撮影するように表示監視部５５に指定を行うこととする。
【００３６】
表示結果判定部５４は、次に、取得した画像の表示結果を判定する際に使用する情報を広告コンテンツ記憶部５１または広告コンテンツ配信装置３０から取得する（ステップＳ２）。
【００３７】
このステップＳ２で取得する情報は、表示部５３に表示させている広告コンテンツ画面の色に関する情報（例えば、色合い、色相、明るさ等の情報のうち、１つ以上を含んだ情報）であり、より詳細には、広告コンテンツが正常に表示されている状態において表示監視部５５が表示部５３の表示画面を撮影した場合に得られる撮影画像のピクセルごとの色に関する情報（表示が正常に行われた場合の画面の色に関する情報）である。この情報（以下、表示結果判定用基準情報と呼ぶ）は、例えば、広告コンテンツを表示部５３に正常に表示させた状態において表示監視部５５が表示部５３に表示されている特定の映像画面を撮影した画像（表示が正常な場合の撮影画像）を解析して予め求めておけばよい。このようにして求めた表示結果判定用基準情報は、地上側の広告コンテンツ伝送装置１０が管理し、広告コンテンツデータとともに各列車に配信する。この場合、表示結果判定用基準情報には、対応する広告コンテンツのどの場面の画面表示に対応する情報なのかを示す情報を含ませる。この情報は、例えば、広告コンテンツの再生開始時からの経過時間の情報とすればよい。
【００３８】
また、表示結果判定用基準情報は、広告コンテンツデータに含まれている広告コンテンツファイルを用いて算出することもできる。例えば、広告コンテンツ伝送装置１０が表示結果判定用基準情報を算出し、広告コンテンツデータとともに各列車に配信しておけばよい。この場合においても、表示結果判定用基準情報には、対応する広告コンテンツのどの場面の画面表示に対応する情報なのかを示す情報を含ませる。
【００３９】
なお、１つの広告コンテンツに対して２つ以上の表示結果判定用基準情報（それぞれ異なる２つ以上の特定映像画面についての表示結果判定用基準情報）を算出して各列車に配信するようにしてもよい。また、表示結果判定用基準情報は、列車内において算出してもよい。すなわち、広告コンテンツ配信装置３０で算出して対応する広告コンテンツデータと一緒に配信するようにしてもよいし、各表示装置５０の表示制御部５２で算出するようにしてもよい。さらに、表示結果判定部５４自身が算出するようにしてもよい。なお、表示結果判定部５４が自ら算出する場合には、上記のステップＳ１において撮影タイミングを表示監視部５５に通知しなくてもよい。すなわち、表示監視部５５は、撮影指示を受けた場合、任意のタイミングで撮影を行い、撮影した画像とともにその撮影タイミング（撮影時刻）の情報を表示結果判定部５４へ出力するように構成することが可能となる。この場合、表示結果判定部５４は、受け取った撮影時刻情報が示すタイミングにおいて表示部５３が表示していた画面表示に関連するデータを表示制御部５２から取得するなどして表示結果判定用基準情報を算出する。
【００４０】
また、上記のステップＳ１とＳ２で示した処理の実行順番は逆であってもよい。ステップＳ２で示した処理を先に実行する場合、表示監視部５５に対する撮影指示では、表示結果判定用基準情報に対応する画面を表示部５３が表示するタイミングで撮影を行うように指示を行う。
【００４１】
表示結果判定部５４は、次に、ステップＳ１で取得した画像とステップＳ２で取得（または算出）した表示結果判定用基準情報を用いて広告コンテンツの表示結果を判定する（ステップＳ３）。
【００４２】
このステップＳ３においては、ステップＳ１で取得した画像を解析し、撮影された表示画面の色に関する情報を算出する。なお、算出する情報は、上記表示結果判定用基準情報（色合い、色相、明るさ等の情報のうち、１つ以上を含んだ情報）と同一種類の情報とする。そして、算出した情報とステップＳ２で取得した表示結果判定用基準情報を比較して広告コンテンツの表示が正常に行われた否かを判定する。つまり、算出した情報と表示結果判定用基準情報の差が略同一である場合、表示が正常に行われたものとする。
【００４３】
ここで、画像解析における比較方法の例について説明する。撮影された表示画面の色に関する情報と表示結果判定用基準情報との比較は、理想的には１ピクセルごとのビット情報を比較することが望ましいが、この場合には処理負荷が大きくなってしまう。よって、表示結果判定部５４は、表示画面を複数の領域に分割して領域ごとに分析を行う（上述した色に関する情報を領域ごとに算出する）ようにしてもよい。この場合、例えば、図５に示したように縦横それぞれを３分割して９つの領域それぞれについて、色に関する情報を算出する。そして、それぞれの領域における情報の値の大小関係を求める。大小関係とは、例えば、各情報（色に関する情報）の値の大きさの順番とし、各領域における情報の値が何番目に大きいか（または小さいか）を示す情報とする。したがって、この場合には、表示結果判定用基準情報も、分割された複数領域のそれぞれにおける情報（色に関連する情報）の値の大きさの順番を示す情報となる。画像を解析して算出した領域ごとの値の大きさの順番と表示結果判定用基準情報が示す領域ごとの値の大きさの順番が一致する場合、表示結果判定部５４は、表示が正常に行われたと判定する。なお、それぞれの領域における情報の値の大小関係を用いて判定を行うのではなく、各領域における色ヒストグラムを求め、各領域の色ヒストグラムを表示結果判定用基準情報（この場合の表示結果判定用基準情報は、表示画面と同一条件で分割された複数領域ごとに生成されたものとなる）と比較して判定を行うようにしてもよい。全ての領域において、求めた色ヒストグラムと表示結果判定用基準情報が略同一であれば表示が正常に行われたと判定する。また、分割数は、固定でなくてもよい。例えば、広告コンテンツごとに異なる分割数としてもよい。判定精度をさらに向上させたい場合には分割数を増やせばよい。
【００４４】
上記ステップＳ３、すなわち広告コンテンツの表示結果の判定が終了すると、表示結果判定部５４は、判定結果を広告コンテンツ配信装置３０の表示実績集計部３３に通知する（ステップＳ４）。このとき、判定を実施した時刻の情報、判定対象とした広告コンテンツの識別情報、自装置（結果の通知を行っている表示装置）の識別情報なども併せて通知する。
【００４５】
表示結果判定部５４は、上記のステップＳ１〜Ｓ４の処理を定期的に実施する。実施するタイミング（実施間隔）は可変としてもよい。列車内情報表示システムを構成している各装置は、部品（例えば表示部５３のバックライト）の経年劣化に伴い故障が発生し広告コンテンツの表示が正しく行われなくなることが想定されるので、例えば、表示部５３の使用開始時からの経過時間（または累積使用時間）が長くなるにつれて実施間隔を短くするようにしてもよい。このようにすると、表示部５３などの故障により表示異常が発生してからそれを検出するまでの時間が短くなり、正確な表示実績が得られるようになる。
【００４６】
なお、上記ステップＳ４において判定結果を表示実績集計部３３に通知する際、表示結果判定部５４は、自装置（表示装置５０）周辺に存在している乗客の数を検知し、検知した乗客数を併せて通知するようにしてもよい。広告コンテンツを提供することにより得られる効果（広告主の利益向上など）は、広告コンテンツを見ている乗客の数に少なからず依存するので、乗客数を併せて通知することにより、表示実績集計部３３においては、乗客数に応じて表示実績を補正するなど、広告主が広告コンテンツ提供の費用対効果を判断する際により有益な情報を算出可能となる。乗客数の検知は、表示監視部５５を利用して行うことが可能である。すなわち、表示監視部５５が、表示部５３の表示画面を撮影していない時間帯のいずれかのタイミング（表示部５３の表示画面を撮影するタイミングになるべく近いタイミングが望ましい）において自表示装置５０の周囲を撮影し、この撮影画像を表示実績集計部３３が解析することにより乗客数を検知する。撮影画像の解析において各乗客が実際に表示装置５０の方を見ているかどうかを判別可能な場合には、表示装置５０の方を見ている乗客数を検知するようにしてもよい。さらに、乗客の性別、おおよその年齢などが判別可能な場合には、これらの検知を乗客数（または表示装置５０の方を見ている乗客数）の検知とともに実施してもよい。
【００４７】
また、表示実績集計部３３は、表示結果判定部５４から判定結果のみが通知されてきた場合（乗客数が通知されてこない場合）において、車両ごとの乗車率に応じて表示実績を補正するなどしてもよい。乗車率は、図示を省略している列車情報管理装置から取得することが可能であり、列車情報管理装置は、例えば、ＡＳ圧（空気ばね圧力）で示される車両重量に基づいて算出された車両ごとの乗車率を管理している。
【００４８】
このように、本実施の形態の列車内情報表示システムにおいては、広告コンテンツを正常に表示させた状態における表示画面（正常表示画面）を撮影し、その結果得られた撮影画像に基づいて、この正常表示画面の色に関する情報（例えば、色合い、色相、明るさ等の情報のうち、１つ以上を含んだ情報）を予め算出し、表示結果判定用基準情報として保持しておき、表示装置５０は、乗客に対して実際に表示している広告コンテンツの表示画面を撮影して得られた画像（表示画面の撮影画像）を解析して表示画面の色に関する情報を算出し、この算出した情報を表示結果判定用基準情報と比較することにより、広告コンテンツの表示が正常に行われた否かを判定することとした。これにより、広告コンテンツの表示結果（正常に表示されたか否か）を高精度に判定することができ、信頼性の高い表示実績データを得ることができる。
【００４９】
なお、表示装置５０は、広告コンテンツを再生する際、乗客が認識不可能な長さ（再生時間）の画面表示状態確認用映像を途中に挿入し、この画面表示状態確認用映像の撮影結果を用いて広告コンテンツの表示結果を判定するようにしてもよい。この場合、例えば、広告コンテンツ伝送装置１０が、画面表示状態確認用映像を挿入した広告コンテンツファイル、およびこの画面表示状態確認用映像の画面の色に関する情報（表示結果判定用基準情報）を作成し、画面表示状態確認用映像の挿入位置を示す情報とともに、広告コンテンツデータとして各列車に配信し、各列車の表示装置５０では、画面表示状態確認用映像が挿入されている広告コンテンツファイルを再生する場合、画面表示状態確認用映像の撮影結果を用いて広告コンテンツの表示結果を判定する。
【００５０】
また、本実施の形態の表示装置５０において、表示監視部５５は自装置の表示部５３を撮影し、表示結果判定部５４は自装置における表示結果を判定することとした。しかしながら、表示監視部５５は、車両内壁の自装置が設置されている側の対面側（対向する側）に設置されている他の表示装置５０の表示部５３を撮影するようにしてもよい。すなわち、表示結果判定部５４は、自装置内の表示監視部５５が撮影した他の表示装置５０における表示結果を判定する、または、自装置の表示部５３に表示された画面の撮影画像を他の表示装置５０から取得して自装置における表示結果を判定するようにしてもよい。また、表示監視部５５が他の表示装置５０の表示部５３を撮影する際、例えば魚眼レンズなどを利用して複数の表示装置５０の表示部５３を同時に撮影してもよい。なお、表示監視部５５が他の表示装置５０の表示部５３を撮影するように構成する場合、同一車両内に設置された各表示装置５０は、広告コンテンツの表示タイミングを同期させる。
【００５１】
なお、本実施の形態では、撮像手段としてのカメラで表示画面を直接撮影した撮像画像により広告コンテンツの表示結果を判定することとしたが、例えば、表示装置の前方壁面に反射鏡等の光学的反射板を設置し、反射鏡に写った自装置の表示画面を、例えば自装置内に設けた撮像手段で撮影し、得られた画像を用いて広告コンテンツの表示結果を判定するようにしてもよい。
【００５２】
実施の形態２．
図６は、実施の形態２の表示装置の構成例を示す図である。本実施の形態の表示装置５０ａは、実施の形態１の表示装置５０（図３参照）が備えていた表示監視部５５を削除し、さらに、表示結果判定部５４を表示結果判定部５４ａに置き換えた構成となっている。そして、本実施の形態の表示装置５０ａにおいて、表示結果判定部５４ａは、広告コンテンツ記憶部５１が記憶している広告コンテンツデータと広告コンテンツ配信装置３０が記憶している広告コンテンツデータとを比較することにより広告コンテンツが正常に表示されたか否かを判定する。
【００５３】
すなわち、列車内情報システムでは、実施の形態１で説明したとおり、地上の広告コンテンツ伝送装置１０から各列車に配信された広告コンテンツデータを広告コンテンツ配信装置３０が受信して記憶しておく。そして、広告コンテンツ配信装置３０は、例えば広告コンテンツの表示スケジュール（再生開始時刻）を考慮して列車内の各表示装置５０へ配信する。しかしながら、広告コンテンツ配信装置３０から各表示装置５０へ伝送される途中で広告コンテンツデータがノイズ等により壊れてしまう場合も考えられ、その場合には、広告コンテンツが正常に表示されない。例えば、広告コンテンツデータに含まれる広告コンテンツファイルが壊れている場合、広告コンテンツの表示画面の一部または全部が正しく表示されないおそれがある。また、コンテンツ表示制御情報が壊れている場合には、広告コンテンツが全く表示されないおそれがある。そこで、本実施の形態の表示装置５０ａでは、広告コンテンツ配信装置３０から配信され、広告コンテンツ記憶部５１が記憶している広告コンテンツファイルと広告コンテンツ配信装置３０が記憶している広告コンテンツデータの一致性を確認して広告コンテンツが正常に行われたかどうかを判定する。
【００５４】
データの一致性を確認する場合、表示結果判定部５４ａは、例えば、広告コンテンツ記憶部５１が記憶している広告コンテンツデータのチェックサムを算出するとともに、これと同じ広告コンテンツデータのチェックサムを広告コンテンツ配信装置３０から取得し、両者を比較する。比較の結果、両者が一致していれば対応する広告コンテンツ（チェックサムを算出した広告コンテンツデータを用いて表示される広告コンテンツ）が正常に表示されたと判断する。
【００５５】
また、表示装置５０ａにおいて、表示結果判定部５４ａ以外の各構成要素は実施の形態１の表示装置５０内の同じ符号が付された構成要素と同じ動作を行う。
【００５６】
このように、本実施の形態の表示装置５０ａにおいて、表示結果判定部５４ａは、地上から配信され、広告コンテンツ配信装置３０が記憶して広告コンテンツデータと自表示装置５０ａで記憶している広告コンテンツデータとの比較結果に基づいて広告コンテンツの表示が正常に行われた否かを判定することとした。これにより、広告コンテンツの表示結果を判定して表示実績データを得ることができる。
【００５７】
なお、本実施の形態で説明した表示結果判定動作を実施の形態１の表示装置５０で実施するようにしてもよい。例えば、表示結果判定部は、まず、広告コンテンツ配信装置３０が記憶して広告コンテンツデータと自表示装置で記憶している広告コンテンツデータが一致しているかどうかを確認する。そして、一致している場合には、広告コンテンツデータの自装置への配信が正常に行われたと判断し、表示監視部５５による撮影結果を用いて、実施の形態１で説明した判定動作（図４参照）を実行する。これにより、表示装置への広告コンテンツデータ配信が正常に行われた場合にのみ、表示画面の撮影画像を用いた判定動作を実施するので、処理負荷の大きい画像解析処理の実行回数を低く抑えることが可能となる。
【００５８】
実施の形態３．
図７は、実施の形態３の表示装置の構成例を示す図である。本実施の形態の表示装置５０ｂは、実施の形態１の表示装置５０（図３参照）が備えていた表示監視部５５を故障検知部５６およびセンサー５７に置き換え、さらに、表示結果判定部５４を表示結果判定部５４ｂに置き換えた構成となっている。そして、本実施の形態の表示装置５０ｂにおいて、表示結果判定部５４ｂは、故障検知部５６による故障検知結果に基づいて、広告コンテンツが正常に表示されたか否かを判定する。
【００５９】
ここで、故障検知部５６は、センサー５７を利用して表示部５３の故障を検知する。例えば、センサー５７を輝度センサーとして、表示部５３で表示されている画面の輝度が規定のしきい値以下であれば表示部５３が故障していると判断する。しきい値は、表示装置５０ｂの周囲環境に応じて適宜変更してもよい。例えば、時間帯（昼間，夜間）や天候、列車の走行位置（トンネル内か否かなど）などに応じて変更する。また、センサー５７は、表示部５３を流れている電流の値を検出するセンサーであってもよい。例えば、センサー５７がバックライトの電流値やドライバー電流値を検出し、故障検知部５６はセンサー５７が検出した電流値が規定のしきい値以下であれば表示部５３が故障していると判断する。その他、センサー５７は、表示部５３の制御基板への信号レベルを検出するセンサーや制御基板への供給電源電圧を検出するセンサーなどとしてもよい。
【００６０】
表示結果判定部５４ｂは、故障検知部５６による検知結果が表示部５３の故障検知を示している場合、広告コンテンツが正常に表示されていないと判断する。
【００６１】
また、表示装置５０ｂにおいて、表示結果判定部５４ｂ、故障検知部５６およびセンサー５７以外の各構成要素は実施の形態１の表示装置５０内の同じ符号が付された構成要素と同じ動作を行う。
【００６２】
このように、本実施の形態の表示装置５０ｂにおいて、表示結果判定部５４ｂは、自装置内の例えば表示部５３の故障を検出する故障検知部５６による検知結果に基づいて広告コンテンツの表示が正常に行われた否かを判定することとした。これにより、広告コンテンツの表示結果を判定して表示実績データを得ることができる。
【００６３】
なお、本実施の形態で説明した表示結果判定動作を実施の形態１の表示装置５０で実施するようにしてもよい。すなわち、実施の形態１の表示装置５０が、さらに、本実施の形態で説明した故障検知部５６およびセンサー５７を備え、例えば、表示結果判定部５４は、故障検知部５６による検知結果が表示部５３の故障検知を示していない場合（表示部５３が正常に動作している場合）、表示監視部５５による撮影結果を用いて、実施の形態１で説明した判定動作（図４参照）を実行する。これにより、表示装置への広告コンテンツデータ配信が正常に行われた場合にのみ、表示画面の撮影画像を用いた判定動作を実施するので、処理負荷の大きい画像解析処理の実行回数を低く抑えることが可能となる。
【００６４】
さらに、実施の形態２で説明した表示結果判定動作をさらに組み合わせて実施してもよい。すなわち、表示結果判定部は、広告コンテンツ配信装置３０が記憶して広告コンテンツデータと自表示装置５０で記憶している広告コンテンツデータが一致しているかどうか（広告コンテンツデータの自装置への配信が正常に行われたかどうか）を確認するとともに、表示部５３が正常に動作していることが故障検知部５６により検知されたかどうかを確認し、広告コンテンツデータの配信が正常に行われ、かつ表示部５３が正常に動作している場合、表示監視部５５による撮影結果を用いて、実施の形態１で説明した判定動作（図４参照）を実行する。これにより、処理負荷の大きい画像解析処理の実行回数を低く抑えることが可能となる。
【００６５】
上述した各実施の形態において、広告コンテンツ配信装置や表示装置が備えている構成要素は、各実施の形態で説明した動作などの実現が維持可能な範囲内において、適宜他の装置へ配置しても構わない。例えば、各実施の形態では、各表示装置が広告コンテンツ記憶装置、表示制御部および結果判定部を備えている場合の例について示したが、これらの一部または全部を各車両の中継装置が備えるように構成し、中継装置が自車両内の各表示装置を制御して広告コンテンツを表示させるようにしてもよい。
【産業上の利用可能性】
【００６６】
以上のように、本発明にかかる列車内情報表示装置は、乗客に広告コンテンツを提供する装置として有用であり、特に、広告コンテンツの表示結果判定機能を有する列車内情報表示装置に適している。
【符号の説明】
【００６７】
１０  広告コンテンツ伝送装置
２０  情報送受信装置
３０  広告コンテンツ配信装置
３１  記憶部
３２  広告コンテンツ配信部
３３  表示実績集計部
４０  中継装置
５０，５０ａ，５０ｂ  表示装置
５１  広告コンテンツ記憶部
５２  表示制御部
５３  表示部
５４，５４ａ，５４ｂ  表示結果判定部
５５  表示監視部（カメラ）
５６  故障検知部
５７  センサー
【図１】
2012127565.tif 000003
【図２】
2012127565.tif 000004
【図３】
2012127565.tif 000005
【図４】
2012127565.tif 000006
【図５】
2012127565.tif 000007
【図６】
2012127565.tif 000008
【図７】
2012127565.tif 000009
【手続補正書】
【提出日】平成23年11月29日(2011.11.29)
【手続補正１】
【補正対象書類名】特許請求の範囲
【補正対象項目名】全文
【補正方法】変更
【補正の内容】
【特許請求の範囲】
【請求項１】
広告コンテンツ配信装置から配信された広告コンテンツを乗客に対して表示する列車内情報表示装置であって、
前記広告コンテンツを表示する表示部と、
前記表示部に表示されている映像画面を撮影するカメラと、
前記カメラにより撮影された画像に基づいて前記映像画面の色に関する情報である色関連情報を算出し、当該算出した色関連情報と、前記広告コンテンツが前記表示部で正常に表示された場合の色に関する情報である表示結果判定用基準情報とに基づいて前記広告コンテンツの表示が正常に行われたかどうかを判定するとともに、当該判定結果を表示実績算出のための情報として、集計機能を有する広告コンテンツ配信装置に送信する表示結果判定部と、
を備えることを特徴とする列車内情報表示装置。
【請求項２】
前記広告コンテンツの正常表示画面を撮影した画像に基づいて算出された、前記広告コンテンツの特定映像画面の色関連情報である表示結果判定用基準情報を記憶しておき、
前記表示結果判定部は、前記カメラにより撮影された前記特定映像画面の画像に基づいて前記特定映像画面の色関連情報を算出し、当該算出した色関連情報と前記表示結果判定用基準情報を比較して前記判定を行うことを特徴とする請求項１に記載の列車内情報表示装置。
【請求項３】
前記広告コンテンツの正常表示画面を撮影した画像に基づいて算出された特定映像画面の色関連情報である表示結果判定用基準情報を記憶しておき、
前記表示結果判定部は、前記カメラにより撮影された前記特定映像画面の画像に基づいて前記特定映像画面の色関連情報を算出し、当該算出した色関連情報と前記表示結果判定用基準情報を比較して前記判定を行い、広告コンテンツ毎の再生実行回数と再生成功回数を算出するための情報として、判定結果を前記広告コンテンツ配信装置に送ることを特徴とする請求項１に記載の列車内情報表示装置。
【請求項４】
前記広告コンテンツの正常表示画面を撮影した画像に基づいて算出された特定映像画面の色関連情報である表示結果判定用基準情報を記憶しておき、
前記表示結果判定部は、前記カメラにより撮影された前記特定映像画面の画像に基づいて前記特定映像画面の色関連情報を算出し、当該算出した色関連情報と前記表示結果判定用基準情報を比較して前記判定を行い、広告コンテンツ毎の再生実行時間と再生成功時間を算出するための情報として、判定結果とともに、判定した時間を前記広告コンテンツ配信装置に送ることを特徴とする請求項１に記載の列車内情報表示装置。
【請求項５】
前記広告コンテンツの正常表示画面を撮影した画像に基づいて算出された特定映像画面の色関連情報である表示結果判定用基準情報を記憶しておき、
前記表示結果判定部は、前記カメラにより撮影された前記特定映像画面の画像に基づいて前記特定映像画面の色関連情報を算出し、当該算出した色関連情報と前記表示結果判定用基準情報を比較して前記判定を行い、広告コンテンツ毎の再生実行時間と再生成功時間を算出するための情報として、判定結果とともに、判定した時間を、さらには、広告主が広告コンテンツの費用対効果を判断するために集計内容を補正できるように乗客数をともに前記広告コンテンツ配信装置に送ることを特徴とする請求項１に記載の列車内情報表示装置。
【請求項６】
前記広告コンテンツの正常表示画面を撮影した画像に基づいて算出された、前記広告コンテンツの特定映像画面を複数領域に分割した場合の各領域における色関連情報同士の大小関係を表示結果判定用基準情報として記憶しておき、
前記表示結果判定部は、前記カメラにより撮影された前記特定映像画面の画像に基づいて、前記表示結果判定用基準情報が算出された場合と同じ条件で前記特定映像画面を複数領域に分割した場合の各領域における色関連情報をそれぞれ算出し、当該算出した色関連情報同士の大小関係と前記表示結果判定用基準情報を比較して前記判定を行うことを特徴とする請求項１に記載の列車内情報表示装置。
【請求項７】
前記表示結果判定部は、前記広告コンテンツのデータに基づいて、前記カメラにより撮影が行われた時点で前記表示部に表示されていた画面の色関連情報を算出して表示結果判定用基準情報とし、さらに、前記カメラにより撮影された画像に基づいて、前記映像画面の色関連情報を算出し、当該表示結果判定用基準情報と当該色関連情報を比較して前記判定を行うことを特徴とする請求項１に記載の列車内情報表示装置。
【請求項８】
前記表示結果判定部は、前記広告コンテンツのデータに基づいて、前記広告コンテンツの特定映像画面を複数領域に分割した場合の各領域における色関連情報を算出し、当該算出した色関連情報同士の大小関係を表示結果判定用基準情報とし、さらに、前記カメラにより撮影された画像に基づいて、前記表示結果判定用基準情報を算出した場合と同じ条件で前記映像画面を複数領域に分割した場合の各領域における色関連情報をそれぞれ算出し、当該算出した色関連情報同士の大小関係と前記表示結果判定用基準情報を比較して前記判定を行うことを特徴とする請求項１に記載の列車内情報表示装置。
【請求項９】
前記色関連情報として、色合い、色相および明るさの中の１つ以上の情報を使用することを特徴とする請求項１に記載の列車内情報表示装置。
【請求項１０】
前記表示結果判定部は、前記表示部の累積使用時間に基づいて決定した周期で前記判定を行うことを特徴とする請求項１に記載の列車内情報表示装置。
【請求項１１】
前記表示結果判定部は、前記表示部の累積使用時間が大きいほど、短周期で前記判定を行うことを特徴とする請求項１０に記載の列車内情報表示装置。
【請求項１２】
乗客が認識不可能な程度の短時間の間、表示結果の判定動作で利用する表示状態確認用映像を前記広告コンテンツの再生途中に挿入し、
前記表示結果判定部は、前記カメラによる前記表示状態確認用映像の撮影結果を使用して前記判定を行うことを特徴とする請求項１に記載の列車内情報表示装置。
【請求項１３】
車両側面の各扉付近に設置され、
前記カメラは、自身が設置されている側の対面側に設置されている他の列車内情報表示装置の表示部に表示されている映像画面を撮影し、
前記表示結果判定部は、前記他の列車内情報表示装置における広告コンテンツの表示結果を判定することを特徴とする請求項１に記載の列車内情報表示装置。
【請求項１４】
地上側に設置された広告コンテンツ伝送装置から送信される広告コンテンツを乗客に対して表示する複数の表示装置と、上記広告コンテンツの表示で使用する広告コンテンツデータを記憶しておくとともに、記憶している広告コンテンツデータの一部または全部を予め決定されているスケジュールに従って前記複数の表示装置に配信する広告コンテンツ配信装置と、を備えた列車内情報表示システムであって、
前記表示装置は、
前記広告コンテンツを表示する表示部と、
前記表示部に表示されている映像画面を撮影するカメラと、
前記カメラにより撮影された画像に基づいて前記映像画面の色に関する情報である色関連情報を算出し、当該算出した色関連情報と、前記広告コンテンツが前記表示部で正常に表示された場合の色に関する情報である表示結果判定用基準情報とに基づいて前記広告コンテンツの表示が正常に行われたかどうかを判定する表示結果判定部と、
を備え、
前記広告コンテンツ配信装置は、
各表示装置の表示結果判定部における判定結果を収集して自列車における広告コンテンツの表示実績を集計する表示実績集計部、
を備えることを特徴とする列車内情報表示システム。
【請求項１５】
前記広告コンテンツの正常表示画面を撮影した画像に基づいて算出された、前記広告コンテンツの特定映像画面の色関連情報である表示結果判定用基準情報を前記表示装置または前記広告コンテンツ配信装置で記憶しておき、
前記表示結果判定部は、前記カメラにより撮影された前記特定映像画面の画像に基づいて前記特定映像画面の色関連情報を算出し、当該算出した色関連情報と前記表示結果判定用基準情報を比較して前記判定を行うことを特徴とする請求項１４に記載の列車内情報表示システム。
【請求項１６】
前記広告コンテンツの正常表示画面を撮影した画像に基づいて算出された、前記広告コンテンツの特定映像画面を複数領域に分割した場合の各領域における色関連情報同士の大小関係を表示結果判定用基準情報として前記表示装置または前記広告コンテンツ配信装置で記憶しておき、
前記表示結果判定部は、前記カメラにより撮影された前記特定映像画面の画像に基づいて、前記表示結果判定用基準情報が算出された場合と同じ条件で前記特定映像画面を複数領域に分割した場合の各領域における色関連情報をそれぞれ算出し、当該算出した色関連情報同士の大小関係と前記表示結果判定用基準情報を比較して前記判定を行うことを特徴とする請求項１４に記載の列車内情報表示システム。
【請求項１７】
前記表示結果判定部は、前記広告コンテンツのデータに基づいて、前記カメラにより撮影が行われた時点で前記表示部に表示されていた画面の色関連情報を算出して表示結果判定用基準情報とし、さらに、前記カメラにより撮影された画像に基づいて、前記映像画面の色関連情報を算出し、当該表示結果判定用基準情報と当該色関連情報を比較して前記判定を行うことを特徴とする請求項１４に記載の列車内情報表示システム。
【請求項１８】
前記表示結果判定部は、前記広告コンテンツのデータに基づいて、前記広告コンテンツの特定映像画面を複数領域に分割した場合の各領域における色関連情報を算出し、当該算出した色関連情報同士の大小関係を表示結果判定用基準情報とし、さらに、前記カメラにより撮影された画像に基づいて、前記表示結果判定用基準情報を算出した場合と同じ条件で前記映像画面を複数領域に分割した場合の各領域における色関連情報をそれぞれ算出し、当該算出した色関連情報同士の大小関係と前記表示結果判定用基準情報を比較して前記判定を行うことを特徴とする請求項１４に記載の列車内情報表示システム。
【請求項１９】
乗客が認識不可能な程度の短時間の間、表示結果の判定動作で利用する表示状態確認用映像を前記広告コンテンツの再生途中に挿入し、
前記表示結果判定部は、前記カメラによる前記表示状態確認用映像の撮影結果を使用して前記判定を行うことを特徴とする請求項１４に記載の列車内情報表示システム。
【請求項２０】
前記表示結果判定部は、前記広告コンテンツ配信装置から配信されてきた広告コンテンツデータと広告コンテンツ配信装置で記憶されている広告コンテンツデータに基づいて、広告コンテンツの配信が正常に行われたかどうかを判断し、正常に行われた場合に前記広告コンテンツの表示結果判定処理を実行することを特徴とする請求項１４に記載の列車内情報表示システム。
【請求項２１】
前記表示装置は、
前記表示部の故障検出を行う故障検知部、
をさらに備え、
前記表示結果判定部は、前記故障検知部により前記表示部の故障が検出されていない状態において、前記広告コンテンツの表示結果判定処理を実行することを特徴とする請求項１４に記載の列車内情報表示システム。
【請求項２２】
広告コンテンツ配信装置から配信された広告コンテンツを乗客に対して表示する列車内情報表示装置において、広告コンテンツの表示結果を判定するための広告表示結果判定方法であって、
前記表示部に表示されている広告コンテンツの映像画面をカメラで撮影する撮影ステップと、
前記撮影した画像に基づいて前記映像画面の色に関する情報である色関連情報を算出する色関連情報算出ステップと、
前記算出した色関連情報と、前記広告コンテンツが前記表示部で正常に表示された場合の色に関する情報である表示結果判定用基準情報とに基づいて前記広告コンテンツの表示が正常に行われたかどうかを判定するとともに、当該判定結果を表示実績集計機能を有する広告コンテンツ配信装置に送信する表示結果判定ステップと、
を含むことを特徴とする広告表示結果判定方法。
【請求項２３】
前記広告コンテンツの正常表示画面を撮影した画像に基づいて算出された、前記広告コンテンツの特定映像画面の色関連情報である表示結果判定用基準情報を外部から取得する表示結果判定用基準情報取得ステップ、
をさらに含み、
前記表示結果判定ステップでは、前記色関連情報と前記表示結果判定用基準情報を比較して前記判定を行うことを特徴とする請求項２２に記載の広告表示結果判定方法。
【請求項２４】
前記広告コンテンツの正常表示画面を撮影した画像に基づいて算出された、前記広告コンテンツの特定映像画面を複数領域に分割した場合の各領域における色関連情報同士の大小関係を表示結果判定用基準情報として外部から取得する表示結果判定用基準情報取得ステップ、
をさらに含み、
前記色関連情報算出ステップでは、前記特定映像画面の画像に基づいて、前記表示結果判定用基準情報が算出された場合と同じ条件で前記特定映像画面を複数領域に分割した場合の各領域における色関連情報をそれぞれ算出し、
前記表示結果判定ステップでは、前記算出した色関連情報同士の大小関係と前記表示結果判定用基準情報を比較して前記判定を行うことを特徴とする請求項２２に記載の広告表示結果判定方法。
【請求項２５】
前記広告コンテンツのデータに基づいて、前記カメラにより撮影が行われた時点で前記表示部に表示されていた画面の色関連情報を算出して表示結果判定用基準情報とする表示結果判定用基準情報算出ステップ、
をさらに含み、
前記表示結果判定ステップでは、前記色関連情報と前記表示結果判定用基準情報を比較して前記判定を行うことを特徴とする請求項２２に記載の広告表示結果判定方法。
【請求項２６】
前記広告コンテンツのデータに基づいて、前記広告コンテンツの特定映像画面を複数領域に分割した場合の各領域における色関連情報を算出し、当該算出した色関連情報同士の大小関係を表示結果判定用基準情報とする表示結果判定用基準情報算出ステップ、
をさらに含み、
前記色関連情報算出ステップでは、前記特定映像画面の画像に基づいて、前記表示結果判定用基準情報を算出した場合と同じ条件で前記特定映像画面を複数領域に分割した場合の各領域における色関連情報をそれぞれ算出し、
前記表示結果判定ステップでは、前記算出した色関連情報同士の大小関係と前記表示結果判定用基準情報を比較して前記判定を行うことを特徴とする請求項２２に記載の広告表示結果判定方法。
【請求項２７】
乗客が認識不可能な程度の短時間の間、表示結果の判定動作で利用する表示状態確認用映像を前記広告コンテンツの再生途中に挿入し、
前記色関連情報算出ステップでは、前記カメラによる前記表示状態確認用映像の撮影結果に基づいて前記色関連情報を算出することを特徴とする請求項２２に記載の広告表示結果判定方法。
【国際調査報告】
2012127565.tif 000010
2012127565.tif 000011
2012127565.tif 000012
2012127565.tif 000013